(57)【要約】【課題】ユーザへ与える不快感を軽減する分配機器３を提供することを目的とする。【解決手段】分配機器３は、ソース手段１とシンク手段２の間の信号配信経路を切り替える切替部４と、ソース手段１とシンク手段２の配置情報とシンク手段２の再生情報を取得する状況データ取得部６と、この状況データ取得部６の取得した情報に基づいて、認証を行う必要があるソース手段１とシンク手段２の経路を判定する認証経路判定部７と、この認証経路判定部７の判定結果に基づいて、認証を行う必要があるソース手段１とシンク手段２に接続されている認証処理部８に認証処理命令を出力するとともに、切替部４に切り替え命令を出力する制御部５とを備える。【選択図】図１
2011211580.tif 000002
【特許請求の範囲】
【請求項１】
デジタルコンテンツを配信する複数のソース部のいずれかと選択的に接続し、この接続したソース部から認証された後デジタルコンテンツを取得するとともに、デジタルコンテンツを再生する複数のシンク部のいずれかと選択的に接続し、この接続したシンク部から認証された後に、前記シンク部にデジタルコンテンツを送信する分配機器において、
前記ソース部とシンク部に接続され、前記ソース部やシンク部と認証処理を行う複数の認証処理手段と、
前記認証処理手段に接続され、前記ソース部とシンク部の間の信号配信経路を切り替える切替部と、
前記認証処理手段と切替部とに接続され、前記ソース部とシンク部のデジタルコンテンツ配信経路を切り替えるための切替命令を切替部に出力する制御部と、
前記制御部に接続され、この制御部を介して前記ソース部とシンク部の配置情報と前記シンク部の再生情報とを取得する状況データ取得部と、
前記状況データ取得部と制御部に接続され、前記状況データ取得部の取得した情報に基づいて、認証を行う必要がある前記ソース部とシンク部の経路を判定する認証経路判定部とを備え、
前記制御部は、前記認証経路判定部の判定結果に基づいて、認証を行う必要がある前記ソース部とシンク部に接続されている前記認証処理手段に認証命令を出力するとともに、前記切替部に切替命令を出力し、
前記認証処理手段は、前記制御部が出力した信号により前記ソース部やシンク部と認証処理を行うことを特徴とする分配機器。
【発明の詳細な説明】
【技術分野】
【０００１】
本発明は、配信装置から配信されるデジタルコンテンツを再生装置に分配する分配機器に関するものである。
【背景技術】
【０００２】
近年、映像コンテンツなどがデジタル化され、相互接続されたデジタル機器間においてデジタル化されたデータが伝送されることが一般的になっている。しかし、このデジタルコンテンツなどは不正に複製されるなどの問題がある。そこで、デジタルコンテンツの不正な利用を防止するために、コンテンツの配信中に経路上からコンテンツを不正に取得できないようにする方法が考えられている。
【０００３】
また、デジタル化されたデータを伝送するための規格として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格が普及している。ＨＤＭＩは、１本のケーブルで映像、音声及び制御信号を伝送可能な次世代ＡＶ機器向けのデジタル映像・音声入出力インターフェース規格である。ＨＤＭＩでは、著作権保護技術としてＨＤＣＰ（Ｈｉｇｈ−ｂａｎｄｗｉｄｔｈ  Ｄｉｇｉｔａｌ  Ｃｏｎｔｅｎｔ
Ｐｒｏｔｅｃｔｉｏｎ）が用いられている（非特許文献１参照）。このＨＤＣＰは、映像コンテンツが配信される際に配信経路の認証を行い、配信経路上に新たな機器が接続されたかどうか、接続されていた機器が取り外されたかどうか等の配信経路の変更を監視する。この配信経路の変更を検知すると、コンテンツデータを一旦中断して配信経路の再確認を行う。
【０００４】
このようなＨＤＣＰを用いたＨＤＭＩのコンテンツ配信システムとしての車載用ＲＳＥ（登録商標）（Ｒｅａｒ  Ｓｅａｔ  Ｅｎｔｅｒｔａｉｎｍｅｎｔ）が開発されつつある。このＲＳＥでは、デジタルコンテンツを配信する複数の配信部とデジタルコンテンツを再生する複数の再生部を有する場合、配信部から再生部へデジタルコンテンツを分配するための分配機器を設けている。
【０００５】
図４は、従来のデジタルコンテンツ配信システムのブロック図である。
【０００６】
図４に示すように、デジタルコンテンツ配信システムは、デジタルコンテンツを配信するソース手段１と、このソース手段１と接続してソース手段１からデジタルコンテンツを取得するシンク手段２と、ソース手段１とシンク手段２との間にソース手段１とシンク手段２との接続を切替える分配機器３０とを備える。
【０００７】
ソース手段１は、第１ソース部１１、第２ソース部１２を備える。第１ソース部１１、第２ソース部１２は、例えば、ナビゲーション装置、ＢＤ−Ｐ（Ｂｌｕ−ｒａｙ  Ｄｉｓｃ  Ｐｌａｙｅｒ）、ＤＴＶ（Ｄｉｇｉｔａｌ  Ｔｅｌｅｖｉｓｉｏｎ）、携帯ゲーム機器等で構成される。
【０００８】
シンク手段２は、第１シンク部２１、第２シンク部２２を備える。第１シンク部２１、第２シンク部２２は、例えば車両前席左右のヘッドレスト後部に配置される。
【０００９】
分配機器３０は、ソース手段１とシンク手段２とに接続され、ソース手段１とシンク手段２との接続を切替える切替部４０と、この切替部４０と接続されており、切替部４０に接続を切替えるための指示信号を出力する制御部５０とを備える。
【００１０】
切替部４０は、第１ソース部１１または第２ソース部１２と、第１シンク部２１または第２シンク部２２との接続を制御部５０の命令に応じて切替える。
【００１１】
制御部５０は、第１ソース部１１や第２ソース部１２が分配機器３０に接続されると、その接続をトリガにして接続されたソース手段１とシンク手段２とを接続させるために切替部４０に接続の切替命令を出力する。
【００１２】
認証処理手段８０は、ＣＰＵやメモリを備え、公開鍵情報と秘密鍵情報とを有する。第１認証処理部８１０または第２認証処理部８２０は、第１ソース部１１または第２ソース部と接続する。第１認証処理部８１０または第２認証処理部８２０は、接続した第１ソース部１１または第２ソース部１２からＨＤＣＰ認証要求を受けて公開鍵の情報を送信する。第１認証処理部８１０または第２認証処理部８２０は、接続した第１ソース部１１または第２ソース部１２から認証された後、暗号化されたデジタルコンテンツを取得する。第１認証処理部８１０または第２認証処理部８２０は、この取得したデジタルコンテンツを秘密鍵を用いて復号化する。
【００１３】
一方、第３認証処理部８３０または第４認証処理部８４０は、第１シンク部２１または第２シンク部２２と接続する。第３認証処理部８３０または第４認証処理部８４０は、接続した第１シンク部２１または第２シンク部２２へＨＤＣＰ認証要求信号を送信する。第３認証処理部８３０または第４認証処理部８４０は、接続した第１シンク部２１または第２シンク部２２から認証された後、公開鍵の情報を受信し、暗号化されたデジタルコンテンツを送信する。
【００１４】
図４のような構成を有するコンテンツ配信システムは、以下の動作をする。
【００１５】
第１シンク部２１と第２シンク部２２が第１ソース部１１に接続している場合、分配機器３０によって接続されている第１シンク部２１と第２シンク部２２が第２ソース部１２に接続を切替えると、第１シンク部２１と第２シンク部２２が再生する内容は第２ソース部１２が配信するコンテンツに切り替わる。このとき、第３認証処理部８３０または第４認証処理部８４０は、第１シンク部２１または第２シンク部２２と認証処理を行い、第２認証処理部８２０は、接続した第２ソース部１２と認証処理を行うため、第１シンク部２１と第２シンク部２２の再生内容は認証が終わるまで、数秒間ほど再生が中断される。
【先行技術文献】
【非特許文献】
【００１６】
【非特許文献１】Ｈｉｇｈ−ｂａｎｄｗｉｄｔｈ  Ｄｉｇｉｔａｌ  Ｃｏｎｔｅｎｔ      Ｐｒｏｔｅｃｔｉｏｎ  Ｓｙｓｔｅｍ  Ｒｅｖｉｓｉｏｎ  １．３
【発明の概要】
【発明が解決しようとする課題】
【００１７】
しかし、図４のような構成のコンテンツ配信システムでは、第１シンク部２１と第２シンク部２２が第１ソース部１１に接続し、分配機器３０によって第２シンク部２２だけを第２ソース部１２に接続を切替えたい場合も、制御部５０は、分配機器３０に接続されている第１ソース部１１、第２ソース部１２、第１シンク部２１、第２シンク部２２について認証処理手段８０により各々の認証を行う。そのため、分配機器３０の配信経路の切り替え前後において、配信経路に変更がない第１シンク部２１と第１ソース部１１との接続についても認証処理を行うことになる。これにより、第１シンク部２１の再生内容を視聴していたユーザは、視聴の途中でコンテンツの再生が中断されることになるので不快に感じる。
【００１８】
本発明は、この課題を解決するために考えたもので、ユーザへ与える不快感を軽減する分配機器を提供することを目的とする。
【課題を解決するための手段】
【００１９】
上記目的を達成するために、本発明は、ソース手段とシンク手段の配置情報とシンク部の再生情報等の情報を取得する状況データ取得部と、この状況データ取得部の取得した情報に基づいて認証を行う必要があるソース手段とシンク手段の配信経路を判定する認証経路判定部と、この認証経路判定部の判定結果に基づいて認証を行う必要があるソース手段とシンク手段に接続されている認証処理部に認証処理命令を出力するとともに、切替部に切り替え命令を出力する制御部とを備えることを特徴とする。
【発明の効果】
【００２０】
本発明によれば、認証すべき配信経路を判断して認証するので認証の必要がないソース部とシンク部を中断させることなくコンテンツを再生できるので、ユーザへ与える不快感を軽減できる。
【図面の簡単な説明】
【００２１】
【図１】本発明の一実施形態におけるデジタルコンテンツ配信システムのブロック図
【図２】本発明の一実施形態における分配機器による認証処理の制御を説明するフローチャート
【図３】本発明の一実施形態の車内における各構成の配置を示す模式図
【図４】従来のデジタルコンテンツ配信システムのブロック図
【発明を実施するための形態】
【００２２】
以下、本発明の一実施形態における分配機器３について、図面を用いて説明する。
【００２３】
図１に示すように、デジタルコンテンツ配信システムは、デジタルコンテンツを配信するソース手段１と、このソース手段１と接続してソース手段１からデジタルコンテンツを取得するシンク手段２と、ソース手段１とシンク手段２との間にソース手段１とシンク手段２との接続を切替える分配機器３とを備える。
【００２４】
ソース手段１は、第１ソース部１１、第２ソース部１２を備える。第１ソース部１１、第２ソース部１２は、例えば、ナビゲーション装置、ＢＤ−Ｐ、ＤＴＶ、携帯ゲーム機器等で構成される。第１ソース部１１、第２ソース部１２は、分配機器３を介してシンク手段２に接続した場合、ＨＤＣＰによる認証を行うデジタルインターフェース（接続装置）を有する。
【００２５】
デジタルインターフェースとは、機器同士でデジタル信号をやり取りするインターフェースのことであり、ＨＤＭＩの送信インターフェース等が挙げられる。
【００２６】
シンク手段２は、複数のシンク手段２で構成され、第１シンク部２１、第２シンク部２２を備える。第１シンク部２１、第２シンク部２２は、例えばナビゲーション装置や車両前席のヘッドレス後部に配置されるモニタ等で構成される。このモニタは、液晶ディスプレイや有機ＥＬ等からなる表示部や、スピーカ等からなる音声出力部で構成される。
【００２７】
第１シンク部２１、第２シンク部２２は、分配機器３を介してソース手段１に接続した場合、ＨＤＣＰによる認証を行うデジタルインターフェースを有する。
【００２８】
分配機器３は、ソース手段１の配置情報や運転状況情報等の状況データを取得する状況データ取得部６と、この状況データ取得部６が取得した情報に基づいて、認証処理が必要
なソース手段１とシンク手段２の配信経路を判断する。さらに、この判断を信号として制御部５に出力する認証経路判定部７と、この認証経路判定部が出力した信号をもとにソース手段１とシンク手段２の接続を切替える命令を出力する制御部５とを有する。そして、分配機器３は、この制御部５が出力した信号によりソース手段１とシンク手段２の接続を切替える切替部４と、この制御部５が出力した信号により各ソース手段１やシンク手段２と認証処理を行う複数の認証処理手段８とを備える。
【００２９】
切替部４は、この制御部５からの命令に応じてソース手段１とシンク手段２の接続を切替える。この切替部４によってソース手段１とシンク手段２の接続を切替えるので、第１シンク部２１、第２シンク部２２が再生するデジタルコンテンツは、別々のデジタルコンテンツを再生することができる。
【００３０】
制御部５は、どのソース手段１とシンク手段２を接続するか（第１ソース部１１と第１シンク部２１、第１ソース部１１と第２シンク部２２、第２ソース部１２と第１シンク部２１、第２ソース部１２と第２シンク部２２）を認証経路判定部７が判定した情報をもとに命令を作成し、切替部４に出力する。
【００３１】
状況データ取得部６は、第１ソース部１１、第２ソース部１２、第１シンク部２１、第２シンク部２２の配置情報、各々のシンク手段２の再生情報、認証に関するユーザ設定、運転状況情報などを取得する。
【００３２】
配置情報とは、第１ソース部１１、第２ソース部１２、第１シンク部２１、第２シンク部２２と分配機器３との接続位置等から各々のソース手段１、もしくは、シンク手段２の車内での配置が前席用であるのか、あるいは、後席用であるのかを示す情報ある。この情報は、状況データ取得部６がソース手段１またはシンク手段２から取得し、あるいは、あらかじめ分配機器３に初期設定したものを取得する。
【００３３】
シンク手段２の再生情報とは、ソース手段１から出力されたコンテンツがシンク手段２で再生中か否かを示す情報である。
【００３４】
運転状況情報とは、車両が運転中か否か、エンジンがついているか否か、運転者がハンドルを操作しているか否か等の車両の運転状態を示す情報である。この情報は、車両に搭載しているナビゲーション装置を利用したＧＰＳ機能、車速センサ、加速度センサ、障害物センサ、測距センサ、人体センサ、カメラ、ワイパーやライトやギアやハンドル等の車両部品動作状態、等から取得可能な情報である。
【００３５】
認証経路判定部７は、状況データ取得部６が取得した配置情報や再生情報などの状況データに基づいて認証が必要な配信経路がどこかを判断する。そして、この判断により認証処理を行う必要がある認証処理手段８に処理を行わせるため、制御部５に信号を送信する。この認証経路判定部７の判定処理は、後述する。
【００３６】
制御部５は、ＣＰＵやＲＡＭで構成され、切替部４、状況データ取得部６、認証経路判定部７、認証処理手段８と接続している。制御部５は、第１シンク部２１や第２シンク部２２からの切替命令に応じて切替部４を制御し、切替部４に第１ソース部１１または第２ソース部１２と、第１シンク部２１または第２シンク部２２との接続を切替させる。さらに、認証経路判定部７が判定して認証に必要な認証処理手段８の選択命令に応じて該当する認証処理手段８を制御し、認証処理を行わせる。
【００３７】
認証処理手段８は、ＣＰＵやメモリを備え、公開鍵情報と秘密鍵情報とを有する。第１認証処理部８１または第２認証処理部８２は、第１ソース部１１または第２ソース部２２
と接続する。第１認証処理部８１または第２認証処理部８２は、接続した第１ソース部１１または第２ソース部１２からＨＤＣＰ認証要求を受けて公開鍵の情報を送信する。第１認証処理部８１または第２認証処理部８２は、接続した第１ソース部１１または第２ソース部１２から認証された後、暗号化されたデジタルコンテンツを取得する。第１認証処理部８１または第２認証処理部８２は、この取得したデジタルコンテンツを秘密鍵を用いて復号化する。
【００３８】
一方、第３認証処理部８３または第４認証処理部８４は、第１シンク部２１または第２シンク部２２と接続する。第３認証処理部８３または第４認証処理部８４は、接続した第１シンク部２１または第２シンク部２２へＨＤＣＰ認証要求信号を送信する。第３認証処理部８３または第４認証処理部８４は、接続した第１シンク部２１または第２シンク部２２から認証された後、公開鍵の情報を受信し、暗号化されたデジタルコンテンツを送信する。
【００３９】
次に、本発明の一実施形態の分配機器３の認証経路判定処理の制御について、車内に各構成を配置した例を、図を用いて説明する。
【００４０】
図２は、本発明の一実施形態の分配機器３による認証経路判定処理の制御を説明するフローチャート図である。
【００４１】
まず、ステップＳ１００に示すように、分配機器３に新たに第２ソース部１２を接続する。制御部５は、分配機器３に第２ソース部１２を接続することを認識する。
【００４２】
次に、ステップＳ１１０に示すように、制御部５が、第２ソース部１２の接続を認識すると、状況データ取得部６が第１シンク部２１および第２シンク部２２の配置情報や各シンク手段２の再生情報などの状況データを取得する。
【００４３】
そして、ステップＳ１２０に示すように、認証経路判定部７は状況データ取得部６が取得した配置情報をもとに、第１シンク部２１と第２シンク部２２の配置が、図３（ａ）のように前席用と後席用に分かれているかを判断する。この配置情報は、ソース手段１やシンク手段２に記憶されているものを取得したもの、または、あらかじめ分配機器３にプリセットされているもの、などである。
【００４４】
ステップＳ１２０で「ＹＥＳ」の場合、すなわち、第１シンク部２１と第２シンク部２２が車内に存在し、第１シンク手段２１が前席用に配置され、第２シンク部２２が後席用に配置されている場合、ステップＳ１３０に示すように、前席用の第１シンク部２１が、既に接続されている第１ソース部１１から配信されるデジタルコンテンツ（例えばナビ映像音声）を再生中であるかどうかを状況データ取得部６が取得した再生情報をもとに判断する。このシンク手段２の再生情報は、分配機器３の動作状態や、シンク機器のＯＮ／ＯＦＦ状態などから取得する。
【００４５】
ステップＳ１３０で「ＹＥＳ」の場合、すなわち、前席用の第１シンク部２１が第１ソース部１１から配信されるデジタルコンテンツが再生中であることを第１シンク部２１から配信されている情報をもとに判断した場合、ステップＳ１４０で示すように、認証経路判定部７は、第１ソース部１１を視聴中の第１シンク部２１はコンテンツの視聴を続けることができるように、第２ソース部１２を再生したいシンク手段２は後席の第２シンク部２２であると決定し、第２ソース部１２と第２シンク部２２のみ認証を行うとの信号を制御部５に出力する。この信号により制御部５は、第２ソース部１２と第２シンク部２２に接続する第２認証処理部８２と第４認証処理部８４に認証を行わせるための信号を送信する。
【００４６】
そして、ステップＳ１５０に示すように、第２ソース部１２と第２シンク部２２のみが認証を行う。このため、前席の第１シンク部２１は認証を行うことがなく、第１ソース部１１から配信されるデジタルコンテンツを再生し続けることができるので、認証処理によって前席用のコンテンツが再生途中で中断されることはない。
【００４７】
ステップＳ１２０に戻り、ステップＳ１２０で「ＮＯ」の場合の処理について説明する。ステップＳ１２０で「ＮＯ」の場合、すなわち、車内に第１シンク部２１しか存在しない場合や図３（ｂ）のよう後席用に第１シンク部２１と第２シンク部２２が配置している場合は、ステップＳ１７０に示すように、第１シンク部２１と第２シンク部２２の双方と第２ソース部１２の間の認証を行うと判断する。この判断により、認証経路判定部７は、制御部５を介して、第２ソース部と第１シンク部２１・第２シンク部２２の両者に認証を行わせる信号を第３認証処理部８３と第４認証処理部８４に送信する。
【００４８】
そして、ステップＳ１５０に示すように、第３認証処理部８３と第４認証処理部８４は、第１シンク部２１と第２シンク部２２の双方と認証を行う。
【００４９】
ステップＳ１３０に戻り、ステップＳ１３０で「ＮＯ」の場合の処理について説明する。ステップＳ１３０で「ＮＯ」の場合、認証経路判定部７は、第１シンク部２１では第１ソース部１１を視聴していないので認証を行っても第１シンク部２１を使用するユーザへのいかなる影響も及ぼさないため、第１シンク部２１と第２シンク部２２の両者と第２ソース部１２の間の認証を行うと判断する。この判断により、認証経路判定部７は、制御部５を介して、第２ソース部１２と第１シンク部２１・第２シンク部２２の両者の認証を行わせる信号を第３認証処理部８３と第４認証処理部８４に送信する。
【００５０】
そして、ステップＳ１５０に示すように、第３認証処理部８３と第４認証処理部８４は、第１シンク部２１と第２シンク部２２の双方と認証を行う。
【００５１】
なお、認証されていないソース手段１とシンク手段２間のコンテンツ視聴が選択された場合には、該当する経路の認証処理をその時点で行うことで、視聴が可能となる。
【００５２】
これにより、分配機器３は認証すべき配信経路を判断して認証するので認証の必要がないソース手段１とシンク手段２を中断させることなくコンテンツを再生できるので、ユーザへ与える不快感を軽減できる。
【００５３】
なお、本構成は代表例として車載環境における再生についての効果を述べているが、これに限るものではなく、一般家庭機器環境やデジタル音声配信の環境についても同様の構成が考えられる。また、伝送部分はデジタルケーブルのものだけでなく、無線化してもよい。
【産業上の利用可能性】
【００５４】
以上のように、本発明にかかる分配機器３は、ソース手段１、シンク手段２ソース手段１が複数あるＨＤＣＰを用いたＨＤＭＩシステムに有用である。
【符号の説明】
【００５５】
１            ソース手段        
１１          第１ソース部      
１２          第２ソース部      
２            シンク手段        
２１          第１シンク部      
２２          第２シンク部      
３、３０      分配機器          
４、４０      切替部            
５、５０      制御部            
６            状況データ取得部  
７            認証経路判定部    
８、８０      認証処理手段      
８１、８１０  第１認証処理部    
８２、８２０  第２認証処理部    
８３、８３０  第３認証処理部    
８４、８４０  第４認証処理部    
【図１】
2011211580.tif 000003
【図２】
2011211580.tif 000004
【図３】
2011211580.tif 000005
【図４】
2011211580.tif 000006